(57)【要約】【課題】フレーム部材の傾斜角度を容易に調整することができるフレーム部材の固定構造を提供する。【解決手段】本発明に係るフレーム部材の固定構造では、第一フレーム部材１０の上部に固定されるブラケット１１は、ブラケット１１の最上部を構成する基板部３３を有し、基板部３３は、第一スペーサー４６と第二スペーサー４７とにより上下方向から挟み込まれる。基板部３３の上面は、上方に凸となる曲面に形成される凸状曲面部３６を有し、基板部３３の凸状曲面部３６と反対側の下面は、上方に凹となる曲面に形成される凹状曲面部３７を有する。第一スペーサー４６の下面は、上方に凹となる曲面に形成されて基板部３３の凸状曲面部３６と面接触する第一曲面部４８を有し、第二スペーサー４７の上面は、上方に凸となる曲面に形成されて基板部３３の凹状曲面部３７と面接触する第二曲面部５１を有する。【選択図】図２
2016182026.tif 000002
【特許請求の範囲】
【請求項１】
第一フレーム部材と、前記第一フレーム部材の上部に固定されるブラケットと、前記ブラケットの上に前記第一フレーム部材と交差して配置される第二フレーム部材と、を備え、
前記ブラケットと前記第二フレーム部材とを締結部材を介して固定するフレーム部材の固定構造において、
前記ブラケットは、前記第一フレーム部材の長手方向に延在し、前記ブラケットの最上部を構成する基板部を有し、前記基板部は、第一スペーサーと第二スペーサーとにより上下方向から挟み込まれ、
前記基板部の上面は、上方に凸となる曲面に形成される凸状曲面部を有し、
前記基板部の凸状曲面部と反対側の下面は、上方に凹となる曲面に形成される凹状曲面部を有し、
前記第一スペーサーの下面は、上方に凹となる曲面に形成されて前記基板部の凸状曲面部と面接触する第一曲面部を有し、
前記第二スペーサーの上面は、上方に凸となる曲面に形成されて前記基板部の凹状曲面部と面接触する第二曲面部を有する
ことを特徴とするフレーム部材の固定構造。
【請求項２】
前記締結部材は、ボルトおよびナットからなり、
前記ブラケットの基板部、前記第一スペーサーの第一曲面部および前記第二スペーサーの第二曲面部に、前記ボルトを挿通するためのボルト孔がそれぞれ形成され、
前記ブラケットの基板部に形成されたボルト孔は、前記第一フレーム部材の長手方向に直交する方向に沿って長く形成される長穴形状に形成されている
ことを特徴とする請求項１に記載のフレーム部材の固定構造。
【請求項３】
前記第一スペーサーの第一曲面部と反対側の上面は、前記第二フレーム部材に当接する第一平坦部を有し、
前記第二フレーム部材が、前記第一平坦部に載置された状態で前記第一スペーサーと前記第一スペーサーの上方に配置される挟持部材とにより挟持されることにより、前記ブラケットと前記第二フレーム部材とが固定される
ことを特徴とする請求項２に記載のフレーム部材の固定構造。
【請求項４】
前記第二スペーサーの第二曲面部と反対側の下面は、前記ボルトの頭部または前記ナットに当接する第二平坦部を有し、
前記第二平坦部には、下方に向かって突出し、かつ、前記ボルトの頭部または前記ナットを挟んで対向する一対の回転防止用突条が形成されている
ことを特徴とする請求項３に記載のフレーム部材の固定構造。
【請求項５】
前記第二フレーム部材の両側面の下端には、幅方向外側に延出する一対の係止プレート片が形成され、
前記挟持部材は、前記第二フレーム部材の幅方向両側のそれぞれに配置され、
各挟持部材の側縁部が、各係止プレート片の先端部を押さえている
ことを特徴とする請求項３に記載のフレーム部材の固定構造。
【請求項６】
前記係止プレート片の先端部には、上方に突出する凸部が形成され、
前記挟持部材の下面には、前記凸部が入り込む凹溝が形成されている
ことを特徴とする請求項５に記載のフレーム部材の固定構造。
【請求項７】
前記ブラケットの前記凹状曲面部に、前記凹状曲面部の湾曲の長手方向に第一凹凸面が形成され、前記第二スペーサーの前記第二曲面部に、前記第一凹凸面と係合する第二凹凸面が長手方向に形成されていることを特徴とする請求項１から６のいずれか一項に記載のフレーム部材の固定構造。
【請求項８】
前記第一フレーム部材および前記第二フレーム部材は、太陽光パネルを支持するための太陽光パネル用架台を構成するものであることを特徴とする請求項１から７のいずれか一項に記載のフレーム部材の固定構造。
【請求項９】
前記第一フレーム部材、前記ブラケット、前記第二フレーム部材、前記第一スペーサーおよび前記第二スペーサーは、アルミニウム合金製の押出形材からなることを特徴とする請求項１から８のいずれか一項に記載のフレーム部材の固定構造。
【請求項１０】
第一フレーム部材の上に第二フレーム部材を固定するために、前記第一フレーム部材と前記第二フレーム部材との間に介設されるフレーム部材用ブラケットであって、
平面視で矩形状に形成され、前記フレーム部材用ブラケットの最上部を構成する基板部を備え、
前記基板部の上面は、上方に凸となる曲面に形成される凸状曲面部を有し、
前記凸状曲面部には、ボルトを挿通するためのボルト孔が形成され、
前記ボルト孔は、前記基板部の長手方向に直交する方向に沿って長く形成される長穴形状に形成されている
ことを特徴とするフレーム部材用ブラケット。
【請求項１１】
前記第一フレーム部材の上面に載置される係合部と、前記係合部から下方に延在する固定部と、を備え、
前記係合部は、前記第一フレーム部材の上面に当接する下面を有し、
前記固定部は、前記第一フレーム部材の側面に固定される
ことを特徴とする請求項１０に記載のフレーム部材用ブラケット。
【請求項１２】
前記基板部の凸状曲面部と反対側の下面は、上方に凹となる曲面に形成される凹状曲面部を有し、前記凹状曲面部に、前記凹状曲面部の湾曲の長手方向に凹凸面が形成されており、前記凹凸面は、前記基板部の短手方向に間隔を隔てて複数形成される凸部から構成されていることを特徴とする請求項１０または１１に記載のフレーム部材用ブラケット。
【発明の詳細な説明】
【技術分野】
【０００１】
本発明は、フレーム部材の固定構造及びフレーム部材用ブラケットに関する。
【背景技術】
【０００２】
従来から、太陽光パネルを設置するための太陽光パネル用の架台が公知である（例えば、特許文献１参照）。この太陽光パネル用架台においては、太陽光パネルを水平面に対して傾斜させて設置するのが一般的であり、また特に、架台そのものの強度、施工性および作業性の向上を図った製品も開発されてきた。
【先行技術文献】
【特許文献】
【０００３】
【特許文献１】特開２０１４−７０３５４号公報
【発明の概要】
【発明が解決しようとする課題】
【０００４】
前記特許文献１に記載のフレーム部材の固定構造では、太陽光パネルに固定するフレーム部材が載置されるブラケットの載置面が平坦に形成されており、このフレーム部材の傾斜角度はブラケットの載置面の傾斜角度に依存する。このため、太陽光パネルに固定するフレーム部材の傾斜角度を調整する際に前記ブラケットを載置面の傾斜角度が異なるものに交換するなどする必要があり、フレーム部材の傾斜角度の調整が容易でないという問題があった。
【０００５】
そこで、本発明は、フレーム部材の傾斜角度を容易に調整することができるフレーム部材の固定構造を提供することを目的とする。
【課題を解決するための手段】
【０００６】
本発明に係るフレーム部材の固定構造は、第一フレーム部材と、前記第一フレーム部材の上部に固定されるブラケットと、前記ブラケットの上に前記第一フレーム部材と交差して配置される第二フレーム部材と、を備える。この固定構造は、前記ブラケットと前記第二フレーム部材とを締結部材を介して固定するよう構成される。前記ブラケットは、前記第一フレーム部材の長手方向に延在し、前記ブラケットの最上部を構成する基板部を有し、前記基板部は、第一スペーサーと第二スペーサーとにより上下方向から挟み込まれる。前記基板部の上面は、上方に凸となる曲面に形成される凸状曲面部を有し、前記基板部の凸状曲面部と反対側の下面は、上方に凹となる曲面に形成される凹状曲面部を有する。前記第一スペーサーの下面は、上方に凹となる曲面に形成されて前記基板部の凸状曲面部と面接触する第一曲面部を有し、前記第二スペーサーの上面は、上方に凸となる曲面に形成されて前記基板部の凹状曲面部と面接触する第二曲面部を有する。
【発明の効果】
【０００７】
本発明に係るフレーム部材の固定構造においては、前記第二フレーム部材を前記ブラケットに対して傾斜させた状態で、前記ブラケットと前記第二フレーム部材とを前記締結部材を介して固定することができる。また、フレーム部材の傾斜角度を調整する際には、前記第二フレーム部材の前記ブラケットに対する角度を変更すればよい。従って、本発明に係るフレーム部材の固定構造によれば、フレーム部材の傾斜角度を容易に調整することができる。
【図面の簡単な説明】
【０００８】
【図１】図１は、本発明の実施形態に係るフレーム部材の固定構造を示す側断面図である。
【図２】図２は、ブラケットと第二フレーム部材との固定状態を示す分解斜視図である。
【図３】図３は、第一フレーム部材と第二フレーム部材とを連結する各種部材の配置関係を示す図である。
【図４】図４は、本発明の他の実施形態に係るフレーム部材の固定構造を示す側断面図である。
【図５】図５は、本発明の他の実施形態に係るフレーム部材の固定構造を示す斜視図である。
【図６】図６は、第一フレーム部材と第二フレーム部材とを連結する各種部材の配置関係を示す図である。
【発明を実施するための形態】
【０００９】
以下、本発明の実施形態を図面と共に詳述する。
【００１０】
本実施形態に係るフレーム部材の固定構造は、太陽光パネルを設置するための太陽光パネル用の架台に適用されるものである。なお、図面において、矢印Ｗは太陽光パネル用架台の幅方向（横方向）を示し、矢印Ｄは太陽光パネル用架台の奥行き方向（縦方向）を示し、矢印Ｈは太陽光パネル用架台の高さ方向を示す。
【００１１】
図１および図２に示すように、本実施形態に係るフレーム部材の固定構造は、第一フレーム部材（垂木受け）１０と、第一フレーム部材１０の上部に固定されるブラケット（フレーム部材用ブラケット）１１と、ブラケット１１の上に第一フレーム部材１０と交差して配置される第二フレーム部材（垂木）１２と、を備える。この固定構造は、ブラケット１１と第二フレーム部材１２とを締結部材１３を介して固定するよう構成される。本実施形態では、第一フレーム部材１０と第二フレーム部材１２とは、直交して配置されている。
【００１２】
第一フレーム部材１０は、アルミニウム合金製の押出形材からなる。また、第一フレーム部材１０は、断面略矩形の筒状の中空材から構成されており、上面、下面および両側面を有する。
【００１３】
第一フレーム部材１０の両側面のうち、一方の側面の上部には、第一フレーム部材１０にブラケット１１を固定するためにビス１４が螺合されている。一方、第一フレーム部材１０の両側面の下部には、第一フレーム部材１０と固定部材１５とを固定するために用いられるボルト１６の頭部を収容する収容部１７が第一フレーム部材１０の長手方向に沿ってそれぞれ形成されている。この収容部１７は、第一フレーム部材１０の側面の下部に全長に亘って形成されている。前記ボルト１６は六角ボルトであり、収容部１７の幅は、このボルト１６の二面幅よりも広く、このボルト１６の対角距離よりも狭くなっている。このように構成することにより、収容部１７は、ボルト１６の回転を規制する回転止めとして機能する。さらに、収容部１７の開口端には、収容部１７の両側部から互いに対向するようにそれぞれ突出する突出部１８が一対に形成されている。これらの一対の突出部１８，１８同士の間隔は、ボルト１６の軸部の外径よりも広く、ボルト１６の頭部の外径よりも狭くなっている。このように構成することにより、一対の突出部１８，１８は、収容部１７からのボルト１６の脱落を防止する脱落止めとして機能する。
【００１４】
第一フレーム部材１０の下部には、ボルト１６およびナット１９を介して固定部材１５が固定されている。
【００１５】
固定部材１５は、アルミニウム合金製の押出形材からなる。また、固定部材１５は、側面視でＬ字状に形成されており、第一フレーム部材１０を両側から挟むように一対に配置されている。
【００１６】
固定部材１５は、ボルト２３などを介して基礎２０に固定される平板状の第一固定部２１と、この第一固定部２１から上方に延在し、ボルト１６およびナット１９を介して第一フレーム部材１０に固定される第二固定部２２とから、Ｌ字状に形成されている。固定部材１５の第一固定部２１は、太陽光パネル用架台の奥行き方向Ｄに沿って長く形成されボルト２３を挿入する長孔２４を有している。また、固定部材１５の第二固定部２２は、固定部材１５の高さ方向（図１および図２に示す太陽光パネル用架台の高さ方向Ｈ）に沿って長く形成されボルト１６を挿入する長孔２５を有している。この長孔２５は、本実施形態では、固定部材１５の第二固定部２２に太陽光パネル用架台の幅方向Ｗに間隔を隔てて一対に設けられている。
【００１７】
固定部材１５の第二固定部２２とナット１９との間に、座金２６が配設され、この座金２６におけるナット１９に当接する面は、ナット１９側に凸となる曲面に形成されている。一方、固定部材１５の第二固定部２２における座金２６に当接する面に、凹凸構造２７が形成され、座金２６における固定部材１５の第二固定部２２に当接する面に、固定部材１５に設けられた凹凸構造２７と係合する凹凸構造２８が形成されている。固定部材１５の第二固定部２２に形成される凹凸構造２７は、固定部材１５の高さ方向に間隔を隔てて凹部および凸部を複数形成してなり、座金２６に形成される凹凸構造２８は、座金２６の高さ方向に間隔を隔てて凹部および凸部を複数形成してなる。なお、固定部材１５の第二固定部２２に、固定部材１５の高さ方向に複数の凹部と凸部が交互に隣接して形成されており、同様に形成された座金２６の凹凸部と相互に係合する。
【００１８】
第一フレーム部材１０と固定部材１５との固定は、座金２６と、ボルト１６およびナット１９とを介して行う。具体的には、まず、第一フレーム部材１０の側面の下部に形成された収容部１７にボルト１６の頭部を収容し、このボルト１６の軸部を収容部１７から突出させる。さらに、ボルト１６の軸部を、固定部材１５の第二固定部２２の長孔２５および座金２６に挿入して、このボルト１６の軸部の先端を座金２６から突出させる。そして、座金２６から突出したボルト１６の軸部にナット１９を締め付けると、第一フレーム部材１０と固定部材１５とがボルト１６およびナット１９によって挟持される。これにより、第一フレーム部材１０と固定部材１５とが固定される。
【００１９】
第二フレーム部材１２は、アルミニウム合金製の押出形材からなる。また、第二フレーム部材１２は、断面略台形の筒状の中空材から構成されており、上面、下面および両側面を有する。
【００２０】
第二フレーム部材１２の上面には、ボルトの収容部２９が第二フレーム部材１２の長手方向に沿って形成されており、収容部２９に、太陽光パネル（図示せず）を第二フレーム部材１２に固定するために用いられるボルト（図示せず）の頭部が収容される。この収容部２９は、第二フレーム部材１２の上面に全長に亘って形成されている。前記ボルトは六角ボルトであり、収容部２９の幅は、このボルトの二面幅よりも広く、このボルトの対角距離よりも狭くなっている。このように構成することにより、収容部２９は、前記ボルトの回転を規制する回転止めとして機能する。さらに、収容部２９の開口端には、収容部２９の両側部から第二フレーム部材１２の幅方向内側にそれぞれ突出する突出部３０が一対に形成されている。これらの一対の突出部３０，３０同士の間隔は、前記ボルトの軸部の外径よりも広く、前記ボルトの頭部の外径よりも狭くなっている。このように構成することにより、一対の突出部３０，３０は、収容部２９からの前記ボルトの脱落を防止する脱落止めとして機能する。
【００２１】
第二フレーム部材１２の両側面の下端には、幅方向外側へ延出する係止プレート片３１がそれぞれ第二フレーム部材１２の長手方向に沿って形成されている。各係止プレート片３１は、第二フレーム部材１２の側面の下端に全長に亘って形成されている。そして、係止プレート片３１の先端部に、上方に突出する凸部（立上部）３２が第二フレーム部材１２の長手方向に沿って形成されている。この凸部３２は、係止プレート片３１の先端部に第二フレーム部材１２の全長に亘って形成されている。
【００２２】
図３に示すように、ブラケット１１は、アルミニウム合金製の押出形材からなる。このブラケット１１は、ブラケット１１の最上部を構成する基板部３３と、基板部３３の両側部から下方に延在する係合部３４と、係合部３４の下部に設けられる固定部３５と、を有しており、下方が開口した略逆Ｕ字形状に形成されている。
【００２３】
ブラケット１１の基板部３３は、平面視で矩形状に形成されている。基板部３３の上面は、上方に凸となる曲面に形成される凸状曲面部３６を有しており、この凸状曲面部３６は、第二フレーム部材１２の下面に当接する載置面を構成する。基板部３３の下面は、上方に凹となる曲面に形成される凹状曲面部３７を有しており、この凹状曲面部３７は、第一フレーム部材１０の上面に間隔を隔てて対向する対向面を構成する。
【００２４】
基板部３３には、ブラケット１１の長手方向に間隔を隔てて二つのボルト孔３８が形成されている。ボルト孔３８には、ブラケット１１と第二フレーム部材１２とを固定するためのボルト３９の軸部が挿通される。基板部３３に形成されたボルト孔３８は、第一フレーム部材１０の長手方向に直交する方向に沿って長く形成される長穴形状に形成されている。ボルト孔３８は、ブラケット１１の幅方向中央部から太陽光パネル用架台の前側にオフセットして形成されている。
【００２５】
ブラケット１１の係合部３４は、基板部３３の幅方向両側部にそれぞれ設けられている。係合部３４は、第一フレーム部材１０の両側面の上端部に設けられた係止片４０を囲うことができる形状に形成されている。具体的には、係合部３４は、基板部３３の下端部から幅方向外側に延出した水平部４１と、水平部４１の先端部から下方へ垂下する垂下部４２と、垂下部４２の下端部から幅方向内側に折り返す折返部４３と、折返部４３の先端部から上方に立ち上がる立上部４４とを有している。このような係合部３４を第一フレーム部材１０の係止片４０に係合させることにより、ブラケット１１は、第一フレーム部材１０に対して、第一フレーム部材１０の長手方向を除く上下左右方向への移動が規制される。
【００２６】
ブラケット１１の固定部３５は、係合部３４の折返部４３の先端部から下方に延在している。固定部３５の内側面が第一フレーム部材１０の側面に当接する。固定部３５には、ブラケット１１の長手方向に間隔を隔てて二つのビス用孔４５が形成されている。このビス用孔４５から第一フレーム部材１０の側面にビス１４を螺合させることにより、第一フレーム部材１０の上部にブラケット１１が固定される。
【００２７】
ブラケット１１の基板部３３は、第一スペーサー（板状部材）４６と第二スペーサー（ボルト押え部材）４７とにより上下方向から挟み込まれている。
【００２８】
第一スペーサー４６は、アルミニウム合金製の押出形材からなる。第一スペーサー４６の下面は、上方に凹となる曲面に形成されてブラケット１１の基板部３３の凸状曲面部３６と面接触する第一曲面部４８を有する。第一スペーサー４６の第一曲面部４８と反対側の上面は、第二フレーム部材１２に当接する第一平坦部４９を有する。
【００２９】
第一スペーサー４６には、長手方向に間隔を隔てて二つのボルト孔５０が形成されている。ボルト孔５０には、ブラケット１１と第二フレーム部材１２とを固定するためのボルト３９の軸部が挿通される。
【００３０】
第二スペーサー４７は、アルミニウム合金製の押出形材からなる。第二スペーサー４７の上面は、上方に凸となる曲面に形成されてブラケット１１の基板部３３の凹状曲面部３７と面接触する第二曲面部５１を有する。第二スペーサー４７の第二曲面部５１と反対側の下面は、ボルト３９の頭部に当接する第二平坦部５２を有する。この第二平坦部５２には、下方に向かって突出し、かつ、ボルト３９の頭部を挟んで対向する一対の回転防止用突条５３，５３が形成されている。
【００３１】
第二スペーサー４７には、長手方向に間隔を隔てて二つのボルト孔５４が形成されている。ボルト孔５４には、ブラケット１１と第二フレーム部材１２とを固定するためのボルト３９の軸部が挿通される。
【００３２】
第二フレーム部材１２が、第一スペーサー４６の第一平坦部４９に載置された状態で第一スペーサー４６と第一スペーサー４６の上方に配置される挟持部材５５とにより挟持されることにより、ブラケット１１と第二フレーム部材１２とが固定される。
【００３３】
挟持部材５５は、アルミニウム合金製の押出形材からなる。挟持部材５５は、第二フレーム部材１２の幅方向両側のそれぞれに配置され、各挟持部材５５の側縁部が、各係止プレート片３１の先端部を押さえている。
【００３４】
挟持部材５５の下面には、係止プレート片３１の先端部に設けられた凸部３２が入り込む凹溝５６が形成されている。また、挟持部材５５には、ボルト孔５７が形成されている。ボルト孔５７には、ブラケット１１と第二フレーム部材１２とを固定するためのボルト３９の軸部が挿通される。
【００３５】
ブラケット１１と第二フレーム部材１２との固定は、第一フレーム部材１０の上部に固定されたブラケット１１と、第一スペーサー４６と、第二スペーサー４７と、挟持部材５５と、締結部材１３（ボルト３９およびナット５８）とを介して行う。具体的には、まず、ブラケット１１を第一スペーサー４６と第二スペーサー４７とにより挟み込んだ状態で、第二スペーサー４７のボルト孔５４、ブラケット１１のボルト孔３８、第一スペーサー４６のボルト孔５０にボルト３９の軸部を下方から挿入し、このボルト３９の軸部を第一スペーサー４６の上面から突出させる。さらに、ボルト３９の軸部を挟持部材５５のボルト孔５７に挿入して、このボルト３９の先端を挟持部材５５の上面から突出させると共に、ブラケット１１の第一平坦部４９に載置された第二フレーム部材１２の係止プレート片３１の先端部に位置する凸部３２が、挟持部材５５の凹溝５６と係合するように第二フレーム部材１２を配置する。そして、挟持部材５５の上面から突出したボルト３９の軸部にナット５８を締め付けると、ブラケット１１と第二フレーム部材１２とが固定される。
【００３６】
また、ボルト３９とナット５８との締結を緩めた状態で、第一スペーサー４６をブラケット１１の凸状曲面部３６上で滑らせて移動させることにより、第二フレーム部材１２の傾斜角度の変更を容易に行うことができる。その際には、ボルト３９で連結された第一スペーサー４６および第二スペーサー４７は、それらの間にブラケット１１を挟み込んだ状態で同時に移動し、第二フレーム部材１２の傾斜角度が所望の角度となった状態でボルト３９の軸部にナット５８を再度締め付けて締結する。
【００３７】
以下に、本実施形態による作用効果を説明する。
【００３８】
（１）本実施形態に係るフレーム部材の固定構造は、第一フレーム部材１０と、第一フレーム部材１０の上部に固定されるブラケット１１と、ブラケット１１の上に第一フレーム部材１０と交差して配置される第二フレーム部材１２と、を備える。この固定構造は、ブラケット１１と第二フレーム部材１２とを締結部材１３を介して固定するよう構成される。ブラケット１１は、第一フレーム部材１０の長手方向に延在し、ブラケット１１の最上部を構成する基板部３３を有し、基板部３３は、第一スペーサー４６と第二スペーサー４７とにより上下方向から挟み込まれる。基板部３３の上面は、上方に凸となる曲面に形成される凸状曲面部３６を有し、基板部３３の凸状曲面部３６と反対側の下面は、上方に凹となる曲面に形成される凹状曲面部３７を有する。第一スペーサー４６の下面は、上方に凹となる曲面に形成されて基板部３３の凸状曲面部３６と面接触する第一曲面部４８を有し、第二スペーサー４７の上面は、上方に凸となる曲面に形成されて基板部３３の凹状曲面部３７と面接触する第二曲面部５１を有する。
【００３９】
本実施形態に係るフレーム部材の固定構造においては、第二フレーム部材１２をブラケット１１に対して傾斜させた状態で、ブラケット１１と第二フレーム部材１２とを締結部材１３を介して固定することができる。また、フレーム部材の傾斜角度を調整する際には、第二フレーム部材１２のブラケット１１に対する角度を変更すればよい。従って、本発明に係るフレーム部材の固定構造によれば、フレーム部材の傾斜角度を容易に調整することができる。
【００４０】
（２）締結部材１３は、ボルト３９およびナット５８からなり、ブラケット１１の基板部３３、第一スペーサー４６の第一曲面部４８および第二スペーサー４７の第二曲面部５１に、ボルト３９を挿通するためのボルト孔３８，５０，５４がそれぞれ形成される。ブラケット１１の基板部３３に形成されたボルト孔３８は、第一フレーム部材１０の長手方向に直交する方向に沿って長く形成される長穴形状に形成される。
【００４１】
ボルト３９とナット５８との締結を緩めた状態で、第一スペーサー４６をブラケット１１の凸状曲面部３６上で滑らせて移動させることにより、第二フレーム部材１２の傾斜角度の変更を容易に行うことができる。
【００４２】
（３）第一スペーサー４６の第一曲面部４８と反対側の上面は、第二フレーム部材１２に当接する第一平坦部４９を有する。第二フレーム部材１２が、第一平坦部４９に載置された状態で第一スペーサー４６と第一スペーサー４６の上方に配置される挟持部材５５とにより挟持されることにより、ブラケット１１と第二フレーム部材１２とが固定される。
【００４３】
ブラケット１１と第二フレーム部材１２との位置決めを容易かつ正確に行うことができることにより、作業性が向上する。
【００４４】
（４）第二スペーサー４７の第二曲面部５１と反対側の下面は、ボルト３９の頭部に当接する第二平坦部５２を有し、第二平坦部５２には、下方に向かって突出し、かつ、ボルト３９の頭部を挟んで対向する一対の回転防止用突条５３，５３が形成される。
【００４５】
ボルト３９の回転を防止することにより、ブラケット１１に対して第一スペーサー４６および第二スペーサー４７を強固に固定することができる。
【００４６】
（５）第二フレーム部材１２の両側面の下端には、幅方向外側へ延出する係止プレート片３１がそれぞれ形成される。挟持部材５５は、第二フレーム部材１２の幅方向両側のそれぞれに配置され、各挟持部材５５の側縁部が、各係止プレート片３１の先端部を押さえる。
【００４７】
第二フレーム部材１２の幅方向両側のそれぞれに配置される挟持部材５５が係止プレート片３１の先端部を押さえているので、ブラケット１１と第二フレーム部材１２との固定強度を高めることができる。
【００４８】
（６）係止プレート片３１の先端部には、上方に突出する凸部３２が形成され、挟持部材５５の下面には、凸部３２が入り込む凹溝５６が形成される。
【００４９】
係止プレート片３１の凸部３２が、挟持部材５５の凹溝５６に入り込んでいることにより、ブラケット１１と第二フレーム部材１２との固定強度をより一層高めることができる。具体的には、凸部３２が凹溝５６に噛み合うことにより、第二フレーム部材１２が幅方向にずれることを防止することができる。さらには、係止プレート片３１と挟持部材５５との接触面積を大きくできるので、第二フレーム部材１２と挟持部材５５との間に発生する摩擦力を大きくできる。したがって、第二フレーム部材１２が長手方向にずれることも抑制することができる。
【００５０】
（７）第一フレーム部材１０および第二フレーム部材１２は、太陽光パネルを支持するための太陽光パネル用架台を構成するものである。
【００５１】
第二フレーム部材１２の傾斜角度を変更することにより、同時に、太陽光パネルの傾斜角度の変更を行うことができる。
【００５２】
（８）第一フレーム部材１０、ブラケット１１、第二フレーム部材１２、第一スペーサー４６および第二スペーサー４７は、アルミニウム合金製の押出形材からなる。
【００５３】
これにより、これらの各部材を鋼材からなるものとした場合と比較すると、太陽光パネル用架台全体を軽量化することが可能になる。また、これらの各部材の寸法精度を高めることができ、太陽光パネル用架台の設置を容易かつ正確に行うことができると共に、優れた耐食性および外観を得ることができる。さらに、長尺の部材を比較的低コストで製造することができるため、製造コストを低減することができると共に、アルミニウム合金はリサイクル性に比較的優れているため、太陽光パネル用架台の撤去後に材料を再利用することができる。
【００５４】
（９）本実施形態に係るフレーム部材用ブラケット１１は、第一フレーム部材１０の上に第二フレーム部材１２を固定するために、第一フレーム部材１０と第二フレーム部材１２との間に介設されるものである。フレーム部材用ブラケット１１は、平面視で矩形状に形成され、フレーム部材用ブラケット１１の最上部を構成する基板部３３を備える。基板部３３の上面は、上方に凸となる曲面に形成される凸状曲面部３６を有し、凸状曲面部３６には、ボルト３９を挿通するためのボルト孔３８が形成され、ボルト孔３８は、基板部３３の長手方向に直交する方向に沿って長く形成される長穴形状に形成される。
【００５５】
フレーム部材用ブラケット１１の凸状曲面部３６および長穴形状のボルト孔３８を利用して、フレーム部材用ブラケット１１の上部に固定する第二フレーム部材１２を、所望の傾斜角度で水平面に対して傾斜させて設置することができる。
【００５６】
（１０）フレーム部材用ブラケット１１は、第一フレーム部材１０の上面に載置される係合部３４と、係合部３４から下方に延在する固定部３５と、を備える。係合部３４は、第一フレーム部材１０の上面に当接する下面を有し、固定部３５は、第一フレーム部材１０の側面に固定される。
【００５７】
フレーム部材用ブラケット１１の係合部３４および固定部３５を利用して、フレーム部材用ブラケット１１の下部に固定する第一フレーム部材１０を、容易にかつ強固に固定することができる。
【００５８】
［他の実施形態］
次に、他の実施形態について説明するが、前述の実施形態と同一構造部位には同一符号を付けて説明を省略する。
【００５９】
図４から図６に示すように、ブラケット１１の凹状曲面部３７に、凹状曲面部３７の湾曲に沿って凹凸面（以下、第一凹凸面ともいう）６０が形成され、第二スペーサー４７の第二曲面部５１に、第二曲面部５１の湾曲に沿って凹凸面（以下、第二凹凸面ともいう）６１が形成されている。第一凹凸面６０は、ブラケット１１の短手方向に間隔を隔てて凸部６２を複数形成してなり、これら凸部６２は、ブラケット１１の長手方向に沿ってそれぞれ延在している。一方、第二凹凸面６１は、第二スペーサー４７の短手方向に間隔を隔てて凸部６３を複数形成してなり、これら凸部６３は、第二スペーサー４７の長手方向に沿ってそれぞれ延在している。そして、ブラケット１１と第二スペーサー４７とを組み合わせた状態において、第一凹凸面６０と第二凹凸面６１とが噛み合う（係合する）ようになっている。
【００６０】
以下に、図４から図６に示す実施形態による作用効果を説明する。
【００６１】
（１）図４から図６に示す実施形態に係るフレーム部材の固定構造では、ブラケット１１の凹状曲面部３７に、凹状曲面部３７の湾曲の長手方向に第一凹凸面６０が形成され、第二スペーサー４７の第二曲面部５１に、第一凹凸面６０と係合する第二凹凸面６１が長手方向に形成されている。
【００６２】
この実施形態に係るフレーム部材の固定構造によれば、ブラケット１１を挟持する固定強度を高めることができ、第一フレーム部材１０と第二フレーム部材１２との滑りを抑制することが可能になる。
【００６３】
（２）図４から図６に示す実施形態に係るフレーム部材用ブラケット１１では、ブラケット１１の基板部３３の凸状曲面部３６と反対側の下面は、上方に凹となる曲面に形成される凹状曲面部３７を有し、凹状曲面部３７に、凹状曲面部３７の湾曲の長手方向に凹凸面６０が形成されている。この凹凸面６０は、ブラケット１１の基板部３３の短手方向に間隔を隔てて複数形成される凸部６２から構成されている。
【００６４】
この実施形態に係るフレーム部材用ブラケット１１によれば、ブラケット１１を挟持する固定強度を高めることができ、第一フレーム部材１０と第二フレーム部材１２との滑りを抑制することが可能になる。
【００６５】
ところで、本発明のフレーム部材の固定構造およびフレーム部材用ブラケットは前述の実施形態に例をとって説明したが、この実施形態に限ることなく本発明の要旨を逸脱しない範囲で他の実施形態を各種採用することができる。
【符号の説明】
【００６６】
１０  第一フレーム部材
１１  ブラケット（フレーム部材用ブラケット）
１２  第二フレーム部材
１３  締結部材
３１  係止プレート片
３２  凸部
３３  基板部
３４  係合部
３５  固定部
３６  凸状曲面部
３７  凹状曲面部
３８  ボルト孔
３９  ボルト
４６  第一スペーサー
４７  第二スペーサー
４８  第一曲面部
４９  第一平坦部
５０  ボルト孔
５１  第二曲面部
５２  第二平坦部
５３  回転防止用突条
５４  ボルト孔
５５  挟持部材
５６  凹溝
５８  ナット
６０  凹凸面（第一凹凸面）
６１  凹凸面（第二凹凸面）
６２  凸部
【図１】
2016182026.tif 000003
【図２】
2016182026.tif 000004
【図３】
2016182026.tif 000005
【図４】
2016182026.tif 000006
【図５】
2016182026.tif 000007
【図６】
2016182026.tif 000008